Podtech/llm-jp-corpus-v4-ja_patent huggingface dataset:
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
呼吸器疾患を治療するための装置であって、
ハウジングと、
ユーザーインターフェースディスプレイと、
加圧ガスの供給を行うための圧力供給源と、
前記圧力供給源を制御するように構成されているコントローラと、
電源の電気的接続部を受け入れて、前記装置に電力供給を行うように構成されている電源接続部と、
前記電源接続部に電気的に直列接続されている複数の外部電池とを備える装置。
【請求項２】
前記コントローラは、前記複数の外部電池の接続を検出し、前記装置への前記電力供給を制御するように構成される請求項１に記載の装置。
【請求項３】
使用時、前記複数の外部電池のうち、前記装置に前記電力供給を行うために使用されている前記外部電池は、電力供給外部電池であり、前記複数の外部電池の各々は、順次、前記電源として使用され、前記電源接続部に最も近い前記外部電池が前記電源として使用される最後の外部電池である、請求項１または２に記載の装置。
【請求項４】
前記複数の外部電池の各々の外部電池は、電気ケーブルを使用して隣接する外部電池に接続される請求項１から３のいずれか一項に記載の装置。
【請求項５】
前記ハウジング内に受け入れられるように構成された内部電池をさらに備え、使用時に、前記内部電池は、前記外部電池からのすべての電力が使い果たされた後に前記電源として使用される請求項１から４のいずれか一項に記載の装置。
【請求項６】
交流（ＡＣ）電力供給装置が、前記複数の外部電池に直列接続可能であり、使用時に、前記ＡＣ電力供給装置が接続されると、前記ＡＣ電力供給装置が前記電源として使用される請求項１から５のいずれか一項に記載の装置。
【請求項７】
直流（ＤＣ）電力供給装置が、前記複数の外部電池に直列接続可能であり、使用時に、前記ＤＣ電力供給装置が接続されると、前記ＤＣ電力供給装置が前記電源として使用される請求項１から５のいずれか一項に記載の装置。
【請求項８】
前記コントローラからの電力容量要求を受け取ると、前記複数の外部電池の各々は、それ自体の残存容量の推定値を決定することができる請求項１〜７のいずれか一項に記載の装置。
【請求項９】
前記複数の外部電池の各々の残存容量は、全外部電池残存動作時間の推定値を決定するために使用される請求項８に記載の装置。
【請求項１０】
前記全外部電池残存動作時間は、各外部電池の前記残存容量および前記電力供給外部電池の残存動作時間の関数として決定される請求項９に記載の装置。
【請求項１１】
前記複数の外部電池は、上流側外部電池および下流側外部電池を含み、前記下流側外部電池は、前記電源接続部に電気的に接続され、前記上流側外部電池は、前記下流側外部電池に電気的に直列接続される請求項８〜１０のいずれか一項に記載の装置。
【請求項１２】
前記下流側外部電池は、電気ケーブルを使用して前記電源接続部に接続される請求項１１に記載の装置。
【請求項１３】
１つまたは複数のさらなる外部電池が、前記下流側外部電池と前記上流側外部電池との間に電気的に接続される請求項１０または請求項１１に記載の装置。
【請求項１４】
前記上流側外部電池は、前記上流側外部電池の残存容量の決定された推定値を、前記下流側外部電池に送信するように構成される請求項１１〜１３のいずれか一項に記載の装置。
【請求項１５】
前記１つまたは複数のさらなる外部電池の各々は、前記外部電池の残存容量の決定された推定値を直列に前記下流側外部電池に送信するように構成される請求項１４に記載の装置。
【請求項１６】
前記下流側外部電池は、電気的に直列接続されている前記外部電池のすべてから全外部電池残存容量を決定するように構成される請求項１４または１５に記載の装置。
【請求項１７】
前記下流側外部電池は、電気的に直列接続されている前記外部電池のすべてからの全外部電池残存動作時間を、前記電力供給外部電池の残存動作時間の関数として決定するように構成される請求項１４〜１６のいずれか一項に記載の装置。
【請求項１８】
前記コントローラから残存容量要求を受け取ると、前記内部電池は、前記内部電池の残存容量の推定値を決定することができる請求項５、および請求項５に従属する場合の請求項６から１７のいずれか一項に記載の装置。
【請求項１９】
前記内部電池の残存容量は、内部電池残存動作時間の推定値を決定するために使用される請求項１８に記載の装置。
【請求項２０】
前記内部電池残存動作時間は、前記内部電池が前記装置を動作させる電力を供給するために使用されているときには前記内部電池の残存動作時間の関数として決定され、前記複数の外部電池のうちの１つが前記装置を動作させるために使用されているときには前記電力供給外部電池の残存動作時間の関数として決定される、請求項１９に記載の装置。
【請求項２１】
前記コントローラは、前記複数の外部電池および前記内部電池の全電池残存容量の推定値を計算するように構成される、請求項８から１７のいずれか一項に従属する場合の請求項１８〜２０のいずれか一項に記載の装置。
【請求項２２】
前記コントローラは、前記複数の外部電池および前記内部電池の全電池残存動作時間の推定値を計算するように構成される、請求項８から１７のいずれか一項に従属する場合の、請求項１８〜２１のいずれか一項に記載の装置。
【請求項２３】
前記ユーザーインターフェースディスプレイは、前記全電池残存容量の推定値および／または前記全電池残存動作時間の推定値を表示するように構成される、請求項２１または２２に記載の装置。
【請求項２４】
前記装置は、換気装置である請求項１から２３のいずれか一項に記載の装置。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
光が照射されることにより被検体内で発生する光音響波をそれぞれが受信する複数の第１変換素子と
前記複数の第１変換素子を支持する支持体と、
前記複数の第１変換素子とは別の、前記被検体に音響波を送信し前記被検体内で反射された反射波をそれぞれが受信する複数の第２変換素子と、
前記被検体の被検部が挿入される開口部を有する被検体支持部と、
を備え、
前記複数の第１変換素子は、
前記複数の第１変換素子のうちの少なくとも一部の第１変換素子の指向軸が特定の領域を向くように、前記支持体に設けられており、
前記複数の第２変換素子は、前記複数の第１変換素子よりも前記開口部に近い位置に設けられたことを特徴とする被検体情報取得装置。
【請求項２】
前記支持体を移動させる第１移動機構をさらに有し、
前記第１移動機構は、前記複数の第１変換素子のそれぞれと前記被検体との相対位置が変化するように、前記支持体を移動させることを特徴とする請求項１に記載の被検体情報取得装置。
【請求項３】
前記支持体は球面を有するボウル部を備え、
前記複数の第１変換素子は、前記複数の第１変換素子の受信面が前記球面に沿って３次元スパイラル状に並ぶように、前記支持体に配置されていることを特徴とする請求項１又は２に記載の被検体情報取得装置。
【請求項４】
前記第１移動機構は、前記支持体を２次元スパイラル状の軌道で移動させることを特徴とする請求項２又は３に記載の被検体情報取得装置。
【請求項５】
前記第１移動機構は、前記支持体を所定の軸中心に回転移動させることを特徴とする請求項２又は３に記載の被検体情報取得装置。
【請求項６】
前記第１移動機構は、前記支持体を２次元平面内において直線的な軌道で移動させることを特徴とする請求項２又は３に記載の被検体情報取得装置。
【請求項７】
前記複数の第２変換素子は、平面内に配置されていることを特徴とする請求項１乃至５のいずれか１項に記載の被検体情報取得装置。
【請求項８】
前記複数の第２変換素子は、前記ボウル部の開口部よりも外周側の領域に配置されていることを特徴とする請求項３乃至７のいずれか１項に記載の被検体情報取得装置。
【請求項９】
前記複数の第２変換素子は、第１グループと第２グループとを少なくとも含む複数のグループに分かれており、前記第１グループと前記第２グループとは、前記外周側の領域における異なる位置に配置されていることを特徴とする請求項８に記載の被検体情報取得装置。
【請求項１０】
被検体を保持する保持部材をさらに有し、
前記第２変換素子から送信される音響波が、前記保持部材に対する入射角度が全反射角よりも垂直に近い角度で入射するよう構成されていることを特徴とする請求項１乃至９のいずれか１項に記載の被検体情報取得装置。
【請求項１１】
前記複数の第２変換素子は、アーク状に配置されており、
前記複数の第２変換素子は、前記球面の内側の空間において音響波の送信及び反射波の受信を行うことを特徴とする請求項３乃至５のいずれか１項に記載の被検体情報取得装置。
【請求項１２】
前記複数の第２変換素子は、３次元スパイラル状に並ぶように前記球面上に配置されていることを特徴とする請求項３乃至５のいずれか１項に記載の被検体情報取得装置。
【請求項１３】
前記第１移動機構は、前記支持体を移動させることにより前記複数の第１変換素子と前記複数の第２変換素子とを一緒に移動させることを特徴とする請求項２乃至１２のいずれか１項に記載の被検体情報取得装置。
【請求項１４】
前記複数の第２変換素子を、前記支持体の移動とは独立して移動可能とする第２移動機構を備えることを特徴とする請求項２乃至１２のいずれか１項に記載の被検体情報取得装置。
【請求項１５】
前記第２移動機構は、前記複数の第２変換素子を２次元平面内において直線的な軌道で移動させることを特徴とする請求項１４に記載の被検体情報取得装置。
【請求項１６】
前記光を発生する光源をさらに備えることを特徴とする請求項１乃至１５のいずれか１項に記載の被検体情報取得装置。
【請求項１７】
前記光源、前記複数の第１変換素子、前記複数の第２変換素子、前記第１移動機構、のそれぞれの動作を制御する制御部をさらに備え、
前記制御部は、前記第１変換素子が移動軌道上の複数の位置で光音響波の受信を行いながら移動するモードと、前記第２変換素子が移動軌道上の複数の位置で音響波の送信及び反射波の受信を行いながら移動するモードと、を互いに異なる期間で実行可能であることを特徴とする請求項１６に記載の被検体情報取得装置。
【請求項１８】
前記光源、前記複数の第１変換素子、前記複数の第２変換素子、前記第１移動機構、のそれぞれの動作を制御する制御部をさらに備え、
前記制御部は、前記第１変換素子による光音響波の受信と、前記第２変換素子による音響波の送信及び反射波の受信と、を複数の検出位置のそれぞれにおいて交互に行いながら前記支持体を移動させるモードを実行可能であることを特徴とする請求項１６に記載の被検体情報取得装置。
【請求項１９】
前記複数の第２変換素子は、所定の方向に並ぶように配置されたアレイを構成し、
前記アレイの長手方向と前記支持体の移動方向とが交差するように、前記支持体の移動期間中に前記アレイが前記支持体に対して動くことを特徴とする請求項１８に記載の被検体情報取得装置。
【請求項２０】
前記複数の第２変換素子は、複数のグループに分かれており、
前記複数のグループのそれぞれは、前記複数の第２変換素子が所定の方向に並ぶように配置されたアレイであり、
前記制御部は、前記支持体の移動方向に応じて、音響波の送信及び反射波の受信を行う第２の変換素子をグループ単位で選択可能であることを特徴とする請求項１８に記載の被検体情報取得装置。
【請求項２１】
前記複数の第１変換素子の指向軸が交差することを特徴とする請求項１乃至２０のいずれか１項に記載の被検体情報取得装置。
【手続補正２】
【補正対象書類名】明細書
【補正対象項目名】０００９
【補正方法】変更
【補正の内容】
【０００９】
本発明の一態様の被検体情報取得装置は、光が照射されることにより被検体内で発生する光音響波をそれぞれが受信する複数の第１変換素子と
前記複数の第１変換素子を支持する支持体と、
を備え、
前記複数の第１変換素子は、
前記複数の第１変換素子のうち一部の第１変換素子と、前記複数の第１変換素子のうち前記一部の第１変換素子とは異なる第１変換素子と、のそれぞれの最も受信感度の高い方向が異なり、且つ、前記それぞれの最も受信感度の高い方向が特定の領域を向くように、
前記支持体に設けられており、
前記複数の第１変換素子とは別に、被検体に音響波を送信し被検体内で反射された反射波をそれぞれが受信する複数の第２変換素子を備えることを特徴とする。
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
取鍋内のアルミニウム脱酸が行われた溶融金属をタンディッシュ内に注入し、前記タンディッシュ内の前記溶融金属を鋳型に連続注入して金属片を鋳造する連続鋳造方法において、
前記取鍋内の前記溶融金属を前記タンディッシュ内に注入するための注入ノズルとして、前記タンディッシュ内に延びるロングノズルを前記取鍋に設けるロングノズル設置ステップと、
前記ロングノズルの注出口を前記タンディッシュ内に注入された前記溶融金属に浸漬させつつ、前記ロングノズルを通じて前記タンディッシュ内に前記溶融金属を注入すると共に、前記タンディッシュ内の前記溶融金属を前記鋳型に注入する鋳造ステップと、
前記タンディッシュ内の前記溶融金属の表面を覆うようにタンディッシュパウダーを散布する散布ステップと、
前記タンディッシュパウダーを散布した前記溶融金属の周囲にシールガスとして窒素ガスを供給するシールガス供給ステップと、
前記タンディッシュ内に貯留されている状態以外の状態の前記溶融金属にカルシウム含有物を添加する添加ステップと
を含む連続鋳造方法。
【請求項２】
前記溶融金属はチタンを成分として含有する請求項１に記載の連続鋳造方法。
【請求項３】
前記カルシウム含有物を、前記溶融金属の鋳造前の工程である精錬工程で添加する請求項１または２に記載の連続鋳造方法。
【請求項４】
前記カルシウム含有物は、前記タンディッシュから前記鋳型に前記溶融金属を注入するためのノズルの内壁面に含まれる請求項１〜３のいずれか一項に記載の連続鋳造方法。
【請求項５】
前記タンディッシュパウダーを散布する前では、シールガスとしてアルゴンガスを前記タンディッシュ内の前記溶融金属の周囲に供給する請求項１〜４のいずれか一項に記載の連続鋳造方法。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
第１制御手段と、
その第１制御手段からの制御信号を受信して遊技の制御を実行する第２制御手段と、を有した遊技機において、
前記第１制御手段は、
複数の演出パターンより１の演出パターンを決定することが可能な演出パターン決定手段と、
その演出パターン決定手段により決定された前記演出パターンを示す演出パターン信号を前記第２制御手段に出力する演出パターン信号出力手段と、を有し、
前記第２制御手段は、
前記演出パターン信号に対応する前記演出パターンに設定されている演出の実行タイミングを識別するための識別手段と、
その識別手段により識別された前記実行タイミングに対応する演出を実行する演出実行手段と、
前記演出パターンの実行状態に基づいて前記識別手段により識別された前記実行タイミングを補正させることが可能な補正手段と、を有し、
前記補正手段は、実行されている前記演出パターンに設定されている前記演出の実行期間内で前記実行タイミングを補正させるものであることを特徴とする遊技機。
【請求項２】
前記演出の一つとして、演出表示態様が表示される表示手段を有するものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、第１制御手段と、その第１制御手段からの制御信号を受信して遊技の制御を実行する第２制御手段と、を有し、前記第１制御手段は、複数の演出パターンより１の演出パターンを決定することが可能な演出パターン決定手段と、その演出パターン決定手段により決定された前記演出パターンを示す演出パターン信号を前記第２制御手段に出力する演出パターン信号出力手段と、を有し、前記第２制御手段は、前記演出パターン信号に対応する前記演出パターンに設定されている演出の実行タイミングを識別するための識別手段と、その識別手段により識別された前記実行タイミングに対応する演出を実行する演出実行手段と、前記演出パターンの実行状態に基づいて前記識別手段により識別された前記実行タイミングを補正させることが可能な補正手段と、を有し、前記補正手段は、実行されている前記演出パターンに設定されている前記演出の実行期間内で前記実行タイミングを補正させるものである。
【手続補正３】
【補正対象書類名】明細書
【補正対象項目名】０００８
【補正方法】変更
【補正の内容】
【０００８】
請求項１記載の遊技機によれば、第１制御手段と、その第１制御手段からの制御信号を受信して遊技の制御を実行する第２制御手段と、を有し、前記第１制御手段は、複数の演出パターンより１の演出パターンを決定することが可能な演出パターン決定手段と、その演出パターン決定手段により決定された前記演出パターンを示す演出パターン信号を前記第２制御手段に出力する演出パターン信号出力手段と、を有し、前記第２制御手段は、前記演出パターン信号に対応する前記演出パターンに設定されている演出の実行タイミングを識別するための識別手段と、その識別手段により識別された前記実行タイミングに対応する演出を実行する演出実行手段と、前記演出パターンの実行状態に基づいて前記識別手段により識別された前記実行タイミングを補正させることが可能な補正手段と、を有し、前記補正手段は、実行されている前記演出パターンに設定されている前記演出の実行期間内で前記実行タイミングを補正させるものである。よって、遊技の制御を行う場合の不具合を抑制することができるという効果がある。
請求項２記載の遊技機によれば、請求項１記載の奏する効果に加え、前記演出の一つとして、演出表示態様が表示される表示手段を有するものであるので、遊技の興趣を向上できるという効果がある。
【手続補正書】
【提出日】平成29年11月6日(2017.11.6)
【手続補正１】
【補正対象書類名】明細書
【補正対象項目名】０１６８
【補正方法】変更
【補正の内容】
【０１６８】
Ｓρ＝（１／ρ）・∂ρ／∂Δα＝２／［（１＋Δα）（１−Δα）］＝２／［１−（Δα）２］
Ｒｙ＝Ｒｒｅｆであるとき、ρ＝１、Δα＝０およびＳρ＝２である。よって、この点の周囲の０．００１（ＡＤＣフルスケールの０．１％）のΔαの変化の場合、計算された抵抗Ｒｙは０．００２すなわち０．２％変化する。表１に示すように、ρが１から発散するに従って感度は増大する。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
皮膚病変を診断する医療用皮膚検査装置であって、
ダーモスコープを介して撮影されたダーモスコピー構造物に係るオリジナルな第１の皮膚画像を入力し、前記第１の皮膚画像の輝度成分を骨格部分と詳細部分に分離する分離部と、
前記骨格成分を圧縮する圧縮部と、
前記圧縮部された骨格成分をエッジ強調するエッジ強調フィルタと、
前記詳細成分を強調する強調部と、
前記第１の皮膚画像の色情報成分を、前記エッジ強調フィルタの出力と前記強調部の出力を合成した輝度成分と合成して第２の皮膚画像を得る合成部と、
を備えることを特徴とする医療用皮膚検査装置。
【請求項２】
既に撮影された過去の皮膚画像を複数記憶している第１の記憶部を備え、
前記分離部へ前記第１の記憶部に記憶されている皮膚画像を前記第１の皮膚画像として入力するとともに、
前記合成部で合成された前記複数の第１の皮膚画像に対応する第２の皮膚画像を複数記憶する第２の記憶部を備える、
請求項１に記載の医療用皮膚検査装置。
【請求項３】
前記第２の記憶部に記憶された複数の皮膚画像を並べて表示する、請求項３に記載の医療用皮膚検査装置。
【請求項４】
新たにダーモスコープを介して撮影された皮膚画像を記憶する第１の記憶部を備え、
前記分離部へ前記第１の記憶部に記憶されている皮膚画像を前記第１の皮膚画像として入力するとともに、
前記合成部で合成された第２の皮膚画像を記憶する第２の記憶部を備える、
請求項１に記載の医療用皮膚検査装置。
【請求項５】
前記第１の記憶部に記憶された皮膚画像と、前記第２の記憶部に記憶された皮膚画像を、並べて表示する、請求項４に記載の医療用皮膚検査装置。
【請求項６】
前記分離部は、ＲＧＢ色空間で表現されている前記第１の皮膚画像を入力し、Ｌａｂ色空間に変換した上で、Ｌ軸成分とａｂ軸成分を分離し、Ｌ軸成分を強調する、請求項１に記載の医療用皮膚検査装置。
【請求項７】
前記合成部は、前記強調されたＬ軸成分と、前記ａｂ軸成分を合成し、ＲＧＢ色空間に変換して前記第２の皮膚画像を得る、請求項６記載の医療用皮膚検査装置。
【請求項８】
前記ａｂ軸成分の振幅を強調する色強調部をさらに備え、前記合成部は、前記強調されたＬ軸成分と、前記強調されたａｂ軸成分を合成し、ＲＧＢ色空間に変換して前記第２の皮膚画像を得る、請求項６記載の医療用皮膚検査装置。
【請求項９】
ダーモスコープを介して撮像されたダーモスコピー構造物に係るオリジナルな第１の皮膚画像を入力し、前記第１の皮膚画像の輝度成分を骨格部分と詳細部分に分離する分離工程と、
前記骨格成分を圧縮する圧縮工程と、
前記圧縮された骨格成分をエッジ強調するエッジ強調工程と、
前記詳細成分を強調する強調工程と、
前記エッジ強調フィルタの出力と前記強調工程の出力を合成する第１の合成工程と、
前記分離された色情報成分を、前記第１の合成工程で合成された輝度成分と合成して第２の皮膚画像を得る第２の合成工程と、
を含む画像処理方法。
【請求項１０】
コンピュータが、
ダーモスコープを介して撮像されたダーモスコピー構造物に係るオリジナルな第１の皮膚画像を入力し、前記第１の皮膚画像の輝度成分を骨格部分と詳細部分に分離する分離工程と、
前記骨格成分を圧縮する圧縮工程と、
前記圧縮された骨格成分をエッジ強調するエッジ強調工程と、
前記詳細成分を強調する強調工程と、
前記エッジ強調工程の出力と前記強調工程の出力を合成する第１の合成工程と、
前記分離された色情報成分を、前記第１の合成工程で合成された輝度成分と合成して第２の皮膚画像を得る第２の合成工程と、
を実行するプログラム。
【手続補正２】
【補正対象書類名】明細書
【補正対象項目名】発明の名称
【補正方法】変更
【補正の内容】
【発明の名称】医療用皮膚検査装置、画像処理方法、プログラム
【手続補正３】
【補正対象書類名】明細書
【補正対象項目名】０００１
【補正方法】変更
【補正の内容】
【０００１】
本発明は、医用機器に関し、特にダーモスコピー用の医療用皮膚検査装置、画像処理方法、プログラムに関する。
【手続補正４】
【補正対象書類名】明細書
【補正対象項目名】０００６
【補正方法】変更
【補正の内容】
【０００６】
本発明の一態様は、皮膚病変を診断する医療用皮膚検査装置であって、ダーモスコープを介して撮影されたダーモスコピー構造物に係るオリジナルな第１の皮膚画像を入力し、前記第１の皮膚画像の輝度成分を骨格部分と詳細部分に分離する分離部と、前記骨格成分を圧縮する圧縮部と、前記圧縮部された骨格成分をエッジ強調するエッジ強調フィルタと、前記詳細成分を強調する強調部と、前記第１の皮膚画像の色情報成分を、前記エッジ強調フィルタの出力と前記強調部の出力を合成した輝度成分と合成して第２の皮膚画像を得る合成部と、を備えることを特徴とする医療用皮膚検査装置を提供するものである。
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
Ｎ末端からＣ末端へと
（ａ）短縮型セリンプロテアーゼ
（ｂ）抗体重鎖定常（Ｆｃ）ドメイン；および
（ｃ）細胞標的化ｓｃＦｖ抗体ドメイン
を含む細胞標的化構築物。
【請求項２】
前記短縮型セリンプロテアーゼが、配列番号１と少なくとも８０％同一であるグランザイムＢ（ＧｒＢ）ポリペプチドである、請求項１に記載の細胞標的化構築物。
【請求項３】
前記ＧｒＢポリペプチドが、以下の特徴：
（ａ）Ａｓｐ３７に対応する位置におけるアミノ酸置換もしくは欠失；
（ｂ）Ａｓｎ５１に対応する位置におけるアミノ酸置換もしくは欠失；
（ｃ）Ａｓｎ８４に対応する位置におけるアミノ酸置換もしくは欠失；
（ｄ）Ａｒｇ９６に対応する位置におけるアミノ酸置換もしくは欠失；
（ｅ）Ａｒｇ１００に対応する位置におけるアミノ酸置換もしくは欠失；
（ｆ）Ａｒｇ１０２に対応する位置におけるアミノ酸置換もしくは欠失；
（ｇ）Ａｓｐ１５０に対応する位置におけるアミノ酸置換もしくは欠失；
（ｈ）Ａｒｇ２０１に対応する位置におけるアミノ酸置換もしくは欠失；
（ｉ）Ｃｙｓ２１０に対応する位置におけるアミノ酸置換もしくは欠失；
（ｊ）Ｌｙｓ２２１に対応する位置におけるアミノ酸置換もしくは欠失；
（ｋ）Ｌｙｓ２２２に対応する位置におけるアミノ酸置換もしくは欠失；
（ｌ）Ｌｙｓ２２５に対応する位置におけるアミノ酸置換もしくは欠失；または
（ｍ）Ａｒｇ２２６に対応する位置におけるアミノ酸置換もしくは欠失
の１つまたは複数を含む、請求項２に記載の細胞標的化構築物。
【請求項４】
Ｃｙｓ２１０に対応する位置におけるアミノ酸置換もしくは欠失を含む、請求項３に記載の細胞標的化構築物。
【請求項５】
Ｃｙｓ２１０に対応する位置においてＡｌａアミノ酸を含む、請求項４に記載の細胞標的化構築物。
【請求項６】
前記Ｆｃドメインが、ヒトＩｇＧ  Ｆｃドメインである、請求項１に記載の細胞標的化構築物。
【請求項７】
前記Ｆｃドメインが、ヒトＩｇＧ１  Ｆｃドメインである、請求項６に記載の細胞標的化構築物。
【請求項８】
前記ｓｃＦｖドメインが、ＧＰ２４０、５Ｔ４、ＨＥＲ１、ＨＥＲ２、ＣＤ−３３、ＣＤ−３８、ＶＥＧＦＲ−１、ＶＥＧＦＲ−２、ＣＥＡ、ＦＧＦＲ３、ＩＧＦＢＰ２、Ｆｎ１４またはＩＧＦ−１Ｒに結合する、請求項１に記載の細胞標的化構築物。
【請求項９】
前記ｓｃＦｖドメインが、ＧＰ２４０、Ｆｎ１４またはＨＥＲ２に結合する、請求項８に記載の細胞標的化構築物。
【請求項１０】
前記ｓｃＦｖドメインがＧＰ２４０に結合する、請求項９に記載の細胞標的化構築物。
【請求項１１】
前記ｓｃＦｖがｓｃＦｖＭＥＬである、請求項１０に記載の細胞標的化構築物。
【請求項１２】
前記ｓｃＦｖドメインがＨＥＲ２に結合する、請求項９に記載の細胞標的化構築物。
【請求項１３】
前記ｓｃＦｖが４Ｄ５である、請求項１２に記載の細胞標的化構築物。
【請求項１４】
前記ｓｃＦｖドメインがＦｎ１４に結合する、請求項９に記載の細胞標的化構築物。
【請求項１５】
前記ｓｃＦｖがＩＴ４である、請求項１４に記載の細胞標的化構築物。
【請求項１６】
前記ｓｃＦｖドメインが、配列番号４５と少なくとも９０％同一である配列を含む、請求項１４に記載の細胞標的化構築物。
【請求項１７】
前記ＧｒＢコード配列が、Ｌｙｓ２７およびＡｒｇ２８に対応する位置におけるアミノ酸置換を含む、請求項２に記載の細胞標的化構築物。
【請求項１８】
Ｌｙｓ２７およびＡｒｇ２８に対応する位置における前記アミノ酸置換が、Ｋ２７ＥまたはＫ２７ＬおよびＲ２８Ａである、請求項１７に記載の細胞標的化構築物。
【請求項１９】
前記ＧｒＢコード配列が、８２ＰＫＮ８４に対応する位置において置換された配列ＰＶＰＮを含む、請求項２に記載の細胞標的化構築物。
【請求項２０】
請求項１〜１９のいずれか一項に記載の細胞標的化構築物を薬学的に許容される担体中に含む組成物。
【請求項２１】
請求項１〜１９のいずれか一項に記載の細胞標的化構築物をコードする核酸配列を含むポリヌクレオチド分子。
【請求項２２】
請求項２１に記載のポリヌクレオチド分子を含む宿主細胞。
【請求項２３】
請求項１〜１９のいずれか一項に記載の細胞標的化構築物を発現する、請求項２２に記載の宿主細胞。
【請求項２４】
哺乳動物細胞、酵母細胞、細菌細胞、繊毛虫細胞または昆虫細胞である、請求項２２に記載の宿主細胞。
【請求項２５】
ポリペプチドを製造する方法であって、
（ａ）請求項２１に記載のポリヌクレオチド分子を、コードされるポリペプチドを産生する条件下で細胞において発現させるステップ、および
（ｂ）該ポリペプチドを該細胞から精製するステップ
を含む方法。
【請求項２６】
細胞増殖性疾患を有する被験体の処置において使用するための、請求項１〜１９のいずれか一項に記載の細胞標的化構築物を含む組成物。
【請求項２７】
前記細胞増殖性疾患が自己免疫疾患である、請求項２６に記載の組成物。
【請求項２８】
前記細胞増殖性疾患ががんまたは前がん状態である、請求項２６に記載の組成物。
【請求項２９】
前記がんが、肺がん、乳がん、脳がん、前立腺がん、脾臓がん、膵臓がん、子宮頸部がん、卵巣がん、頭頸部がん、食道がん、肝臓がん、皮膚がん、腎臓がん、白血病、骨がん、精巣がん、結腸がん、または膀胱がんである、請求項２８に記載の組成物。
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
基板と、前記基板の一側面上のみに配置されたアンテナコイルと、前記基板の前記一側面上に配置され、前記アンテナコイルの内端部と外端部とを電気的に相互結合するように前記アンテナコイルの少なくとも１つのターンを橋絡する薄型クロスオーバー要素とを備え、前記クロスオーバー要素が、前記アンテナコイルの前記ターン上の又は該ターンに隣接する電気絶縁層と、前記電気絶縁層上の第１導電層と、前記第１導電層上にあり前記第１導電層とは異なる導電性材料の第２導電層とを備えることを特徴とする、アンテナ回路。
【請求項２】
前記第１導電層が、プリント可能な薄膜材料であることを特徴とする、請求項１に記載のアンテナ回路。
【請求項３】
前記第１導電層が、銀及び／又は炭素粒子を含有することを特徴とする、請求項１又は２に記載のアンテナ回路。
【請求項４】
前記第１導電層が、流動可能な導電性インクであることを特徴とする、請求項１から３のいずれかに記載のアンテナ回路。
【請求項５】
前記第１導電層が、非酸化性又は抗酸化性であることを特徴とする、請求項１から４のいずれかに記載のアンテナ回路。
【請求項６】
前記第２導電層が、電気メッキ層であることを特徴とする、請求項１から５のいずれかに記載のアンテナ回路。
【請求項７】
前記第２導電層が、銅であることを特徴とする、請求項１から６のいずれかに記載のアンテナ回路。
【請求項８】
前記第１導電層が、前記電気絶縁層に重なり合い、前記アンテナコイルの内端部と外端部とを物理的及び電気的に結合することを特徴とする、請求項１から項７のいずれかに記載のアンテナ回路。
【請求項９】
前記第２導電層が、前記第１導電層に重なり、前記アンテナコイルの前記内端部と前記外端部とを物理的及び電気的に結合することを特徴とする、請求項１から８のいずれかに記載のアンテナ回路。
【請求項１０】
請求項１から９のいずれかに記載のアンテナ回路と、前記アンテナコイルに電気的に結合されたＩＣチップと、を備えた無線周波数無線通信回路であって、前記基板が、本体部と、前記本体部に片持ち支持されたチップ取付け部とを含み、前記アンテナコイルが、前記本体部の周り及び前記チップ取付け部に沿って延び、前記ＩＣチップが、前記アンテナコイルと電気通信するように前記チップ取付け部に取り付けられること特徴とする、無線周波数無線通信回路。
【請求項１１】
前記チップ取付け部が、前記本体部及びその上に設けられたアンテナコイルの部分から遠ざかる方向に延びていることを特徴とする、請求項１０に記載の無線周波数無線通信回路。
【請求項１２】
前記本体部が、前記アンテナコイルに取り囲まれ、表示ユニットを収容するための中央開口を含むことを特徴とする、請求項１０又は１１に記載の無線周波数無線通信回路。
【請求項１３】
前記基板が、前記本体部から延びた位置の、前記チップ取付け部の周囲に設けられたハウジング取付け部をさらに備えることを特徴とする、請求項１０から１２のいずれかに記載の無線周波数無線通信回路。
【請求項１４】
手持ち可能なハウジングと、前記手持ち可能なハウジングの表面のデータ入力ユーザーインターフェースと、前記データ入力ユーザーインターフェースを介して入力されたデータを前記手持ち可能な端末上に表示するための表示画面を有する表示ユニットと、前記手持ち可能なハウジング内にある請求項１０から１３のいずれかに記載の無線周波数無線通信回路とを備え、前記手持ち可能なハウジングを通して前記表示ユニットが延在することを特徴とする、販売ポイント移動端末。
【請求項１５】
薄型クロスオーバー要素を単一面型アンテナ回路上に形成する方法であって、
ａ）前記アンテナ回路の基板の第１側面において、該基板の前記第１側面上のアンテナコイルの少なくとも１つのターンを橋絡する第１導電層を電気絶縁層上にプリントする段階と、
ｂ）前記第１導電層上に第２導電層を電気メッキして前記アンテナコイルの内端部と外端部とを電気的に相互結合する段階と、
を含む、方法。
【請求項１６】
基板と、前記基板の一側面上のみに設けられたアンテナコイルと、前記基板の前記一側面上にあり、前記アンテナコイルの少なくとも１つのターンを橋絡して前記アンテナコイルの内端部と外端部とを電気的に相互結合するクロスオーバー要素とを備え、前記クロスオーバー要素が、前記アンテナコイルの少なくとも１つのターンを橋絡するための剛性のある絶縁性ハウジングと、前記電気絶縁性ハウジングを通過して延び、前記アンテナコイルの前記内端部と前記外端部とを電気的に相互結合する導電体と、を備えることを特徴とする、アンテナ回路。
【請求項１７】
前記剛性のある絶縁性ハウジングが、抵抗器ハウジング、ＩＣチップハウジング、及びキャパシタハウジングのうちの少なくとも１つであることを特徴とする、請求項１６に記載のアンテナ回路。
【手続補正２】
【補正対象書類名】明細書
【補正対象項目名】００２６
【補正方法】変更
【補正の内容】
【００２６】
基板１２の本体部２０は、アンテナコイル１４の内端部３０と外端部３２とを含む。これら内端部３０及び外端部３２の両方は、尾部２４の近位端３４に隣接する。アンテナコイル１４は本体部２０の周りを延び、内端部３０及び外端部３２、及び尾部２４の自由端である遠位端３６で終端し、適切なＩＣチップ３７を取り付ける準備ができている（図８参照）。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
所定の信号に基づいて、乱数を更新する乱数更新手段と、
少なくとも所定のデータが所定領域に記憶されているメモリ空間において、そのメモリ空間の未使用領域にアクセスがされたことを検出して異常リセット信号を発生させる異常リセット信号発生手段と、
電源投入時にシステムリセット信号を発生させるシステムリセット信号発生手段と、
所定条件の成立に基づき、遊技に関する抽選を行う抽選手段と、
前記所定条件の成立時に、前記乱数更新手段から前記抽選に用いる乱数を取得する乱数取得手段とを有し、
前記乱数更新手段は、前記システムリセット信号発生手段にて発生させたシステムリセット信号にてリセットされると、ランダムな値を乱数の初期値とする一方、前記異常リセット信号発生手段にて発生させた異常リセット信号にてリセットされると、該リセット前に設定された初期値が保持され、
前記抽選手段は、前記乱数の初期値が前記システムリセット信号に基づいて設定されたものか、あるいは、前記異常リセット信号に基づいて保持されたものかを確認することなく、前記乱数取得手段にて取得した乱数と所定の判定値に基づき抽選を行ってなることを特徴とする遊技機。
【手続補正２】
【補正対象書類名】明細書
【補正対象項目名】０００７
【補正方法】変更
【補正の内容】
【０００７】
請求項１の発明に係る遊技機によれば、所定の信号に基づいて、乱数を更新する乱数更新手段（１６ビット乱数生成回路６３００Ａ（Ｂ）、８ビット乱数生成回路６３０１Ａ（Ｂ）、１６ビットカスタム乱数生成回路６３０２Ａ（Ｂ）、８ビットカスタム乱数生成回路６３０３Ａ（Ｂ））と、
少なくとも所定のデータが所定領域に記憶されているメモリ空間（図１２に示すメモリ空間アドレスマップ）において、そのメモリ空間（図１２に示すメモリ空間アドレスマップ）の未使用領域（６５０ａ〜６５０ｃ）にアクセスがされたことを検出して異常リセット信号を発生させる異常リセット信号発生手段（リセットコントローラ６４０）と、
電源投入時にシステムリセット信号を発生させるシステムリセット信号発生手段（システムリセット生成部１３２０）と
所定条件の成立に基づき、遊技に関する抽選を行う抽選手段（ステップＳ４０８）と、
前記所定条件の成立時に、前記乱数更新手段（１６ビット乱数生成回路６３００Ａ（Ｂ）、８ビット乱数生成回路６３０１Ａ（Ｂ）、１６ビットカスタム乱数生成回路６３０２Ａ（Ｂ）、８ビットカスタム乱数生成回路６３０３Ａ（Ｂ））から前記抽選に用いる乱数を取得する乱数取得手段（ステップＳ３０３）とを有し、
前記乱数更新手段（１６ビット乱数生成回路６３００Ａ（Ｂ）、８ビット乱数生成回路６３０１Ａ（Ｂ）、１６ビットカスタム乱数生成回路６３０２Ａ（Ｂ）、８ビットカスタム乱数生成回路６３０３Ａ（Ｂ））は、前記システムリセット信号発生手段（システムリセット生成部１３２０）にて発生させたシステムリセット信号にてリセットされると、ランダムな値を乱数の初期値とする一方、前記異常リセット信号発生手段（リセットコントローラ６４０）にて発生させた異常リセット信号にてリセットされると、該リセット前に設定された初期値が保持され、
前記抽選手段（ステップＳ４０８）は、前記乱数の初期値が前記システムリセット信号に基づいて設定されたものか、あるいは、前記異常リセット信号に基づいて保持されたものかを確認することなく、前記乱数取得手段（ステップＳ３０３）にて取得した乱数と所定の判定値に基づき抽選を行ってなることを特徴としている。
【手続補正３】
【補正対象書類名】明細書
【補正対象項目名】０００８
【補正方法】削除
【補正の内容】
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
シャッフルプレイングカードのパッケージを管理するシステムであって、
所定数のデッキを構成するプレイングカードがランダムな順番にシャッフルされ、個々に１つのパッケージとして包装され、固有のＩＤコードがシャッフルプレイングカードのそれぞれの固有のパッケージに添付され、
前記システムは、
１または複数のシャッフルプレイングカードのパッケージを包含し、包含されたパッケージに添付されたＩＤコードを監視する保管箱と、
カジノのバックヤードに持ち込まれ更に前記保管箱に包含されたパッケージの、ＩＤコードのデータベースを保有するコンピュータ読取り媒体を有し、シャッフルプレイングカードのパッケージのＩＤコードを監視する管理制御装置を有し、
前記保管箱は、
保管箱の中のシャッフルプレイングカードのパッケージのＩＤコードを読み取るように構成されている、１または複数のＩＤコードリーダーと、
前記ＩＤコードリーダーによって取得された情報または画像を、前記保管箱の外側に送る通信手段と、を有し、
前記管理制御装置は、所定のタイミングで前記ＩＤコードリーダーによって読み取られた前記保管箱に包含されたパッケージのＩＤコードを取得し、読まれたＩＤコードが前記データベースに予め存在したものと一致するかどうか審査されるように構成されている、システム。
【請求項２】
請求項１に記載のシャッフルプレイングカードのパッケージを管理するシステムであって、
前記管理制御装置は、前記ＩＤコードリーダーによってＩＤコードが読み取られたパッケージが、ゲームテーブルに存在しないはずのものかどうか、または不適切なタイミングで到着したものかどうか審査するように構成されている、システム。
【請求項３】
請求項１に記載のシャッフルプレイングカードのパッケージを管理するシステムであって、
前記管理制御装置は、以下の１）〜５）の項目の少なくとも１つについて、パッケージを審査するようにプログラムされ、構成されている、システム。
１）所定の配送ルートから運ばれたかどうか、
２）紛失したものでないかどうか、
３）データベースに登録されていないかどうか、
４）所定の期間以上、未使用のままであったかどうか、
５）いずれかのゲームテーブルで過去に使われたかどうか。
【請求項４】
請求項１に記載のシャッフルプレイングカードのパッケージを管理するシステムであって、
以下の（１）〜（３）の項目の少なくとも１つは、シャッフルプレイングカードのパッケージのＩＤコードと関連してコンピュータ読取り媒体に記録され、これらの項目のうち１つについて前記データベースで管理される、システム。
（１）使用されるゲームテーブル
（２）使用されるゲームテーブルを担当するディーラー（カードを引く人）
（３）シャッフルプレイングカードのそれぞれのパッケージについての、
ゲームテーブルでの使用に関する、予想の終了時刻。
【請求項５】
請求項１に記載のシャッフルプレイングカードのパッケージを管理するシステムであって、
次に使用するべく読み取られるパッケージのＩＤコードは、前記管理制御装置によって削除される、またはゲームテーブルで使用されたものとして承認される、システム。
【請求項６】
請求項１に記載のシャッフルプレイングカードのパッケージを管理するシステムであって、
カードシュータ装置は、パッケージの使用を阻止するために、パッケージのＩＤコードの審査結果または識別されたパッケージのＩＤコードを警告する出力手段を有している、システム。
【請求項７】
請求項１に記載のシャッフルプレイングカードのパッケージを管理するシステムであって、
カードシュータ装置は、パッケージのＩＤコードの審査結果、またはカジノのユーザーによる、次に使用してはならないという指令で、パッケージの使用を阻止するための、ロック手段を有している、システム。
【請求項８】
請求項１に記載のシャッフルプレイングカードのパッケージを管理するシステムであって、
カードシュータ装置は、管理制御装置からの指示に応じた、カジノのユーザーによる次に使用してはならないという指令で、パッケージの使用を阻止するために警告する警告機能を有している、システム。
【請求項９】
請求項１に記載のシャッフルプレイングカードのパッケージを管理するシステムであって、
バックヤードに持ち込まれる全てのパッケージのＩＤコードが１つのコンテナに含まれていたパッケージのグループとともに管理され、パッケージのグループのＩＤコードが登録される、システム。
【請求項１０】
請求項１に記載のシステムであって、
前記ＩＤコードリーダーは、少なくとも、バーコードリーダー、２次元コードリーダー、カメラ、またはＲＦＩＤタグ読取手段から選択される、システム。
【請求項１１】
１または複数のシャッフルプレイングカードのパッケージを包含し、パッケージに添付されたＩＤコードを監視する保管箱であって、
前記保管箱は、
保管箱の中のシャッフルプレイングカードのパッケージのＩＤコードを読み取るように構成されている、１または複数のＩＤコードリーダーと、
前記ＩＤコードリーダーによって取得された情報または画像を、前記保管箱の外側に送る通信手段と、
前記保管箱からのパッケージの持ち出しを阻止するように構成されているロック手段と、を有する、保管箱。
【請求項１２】
請求項１１に記載の保管箱であって、
前記ＩＤコードリーダーは、少なくとも、バーコードリーダー、２次元コードリーダー、カメラ、またはＲＦＩＤタグ読取手段から選択される、保管箱。
【請求項１３】
シャッフルプレイングカードのパッケージを管理するシステムで使用されるシャッフルプレイングカードのパッケージであって、
所定数のデッキを構成するプレイングカードがランダムな順にシャッフルされ、個々に１つのパッケージとして包装され、それぞれの固有のＩＤコードがそれぞれのシャッフルプレイングカードのパッケージに添付され、
ＩＤコードは、パッケージを識別するために、保管箱に包含されるパッケージのＩＤコードを取得するように構成されている、ＩＤコードリーダーによって読み取られ、
そして
前記ＩＤコードは、ＩＤコードが読み取られたパッケージが保管箱に存在しないはずのものかどうかシャッフルプレイングカードのパッケージの管理システムによって検査されるように、構成されている、パッケージ。
【手続補正書】
【提出日】平成29年3月10日(2017.3.10)
【手続補正１】
【補正対象書類名】明細書
【補正対象項目名】０００６
【補正方法】変更
【補正の内容】
【０００６】
しかしながら、各列毎に形成した共通電極が、同一ヘッドチップ内で、端部同士が接続されている構成では、インク滴を吐出するノズル開口が増加することにより波形成形を行なう回路に流れる電流量が増加した場合には特に、図６に示す駆動信号ＳにオーバーシュートＯＳを生起したり、鈍りを生起する場合がある。この場合には、駆動信号Ｓの波形成形精度が劣化するという問題がある。
【手続補正２】
【補正対象書類名】明細書
【補正対象項目名】０００７
【補正方法】変更
【補正の内容】
【０００７】
また、各列の流路の端部を接続して各列から同色のインク滴を吐出するように構成した場合にも、同様の問題が発生する。さらに、この場合には、各列間でクロストークを発生することがある。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
環境制御型透過電子顕微鏡の使用方法であって、
前記環境制御型透過電子顕微鏡は、
電子ビームを発生する電子源と、
試料チャンバ内に設けられる試料へ電子ビームを導く収束系と、
前記試料を透過する電子を検出系上で結像する結像系と、
前記試料チャンバ内で気体の圧力と気体の組成を制御する気体制御系であって、前記試料チャンバの少なくとも一部において０．５乃至５０ｍｂａｒの圧力に維持する、気体制御系と、
を有し、
前記環境制御型透過電子顕微鏡は、気体が誘起する分解能の劣化に悩まされ、
当該方法は、
電子ビームを発生するステップと、
試前記料チャンバ内の前記試料へ前記電子ビームを導くステップと、
前記試料を透過して前記検出系上へ結像する電子を用いて像を形成するステップと、
前記試料チャンバ内に電場を発生させることで、前記試料チャンバからイオン化された気体を除去するステップであって、その結果として、気体が誘起する分解能の劣化を解消するステップと、を有する方法。
【請求項２】
前記電場が前記電子ビームに対して平行である、請求項１に記載の方法。
【請求項３】
前記電場が前記電子ビームに対して垂直である、請求項１に記載の方法。
【請求項４】
前記電子ビームと前記電場に対して垂直な磁場が、前記電子ビームへの前記電場の影響に対抗する、
請求項３に記載の方法。
【請求項５】
前記試料チャンバが当該環境制御型透過電子顕微鏡の排気されたチャンバ内に埋め込まれる、請求項１乃至４のうちのいずれか一項に記載の方法。
【請求項６】
電子ビームを発生させる電子源と、
試料チャンバ内に設けられる試料へ電子ビームを導く収束系と、
前記試料を透過する電子を検出系上で結像する結像系と、
前記試料チャンバの少なくとも一部において０．５乃至５０ｍｂａｒの圧力に維持する、前記試料チャンバ内で気体の圧力と気体の組成を制御する気体制御系と、
電場を前記試料チャンバ内に発生させる手段であって、前記試料チャンバからイオン化された気体を除去し、気体が誘起する分解能の劣化を低減する電場を前記試料チャンバ内に発生させる手段と、
を有する、環境制御型透過電子顕微鏡。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
回転シャフトと、シリンダと、前記シリンダと共に作動室を形成するピストンと、前記作動室に対して設けられる高圧弁及び低圧弁と、を有し、前記回転シャフトの回転運動と前記ピストンの往復運動との間で変換を行うように構成された油圧機械の診断システムであって、
前記高圧弁又は前記低圧弁の少なくとも一方は、
コイルに電流を供給して生じる磁力によってコアに向かって吸引されるように構成された弁体と、
前記弁体が吸引されたときに前記コアに最も近付く位置を規制するための位置規制部と、
を有する電磁弁であり、
前記作動室の圧力を検出するための圧力センサと、
前記圧力センサにより得られる筒内圧の経時変化に基づいて、前記コイルへの電流の供給を停止した時点から前記筒内圧の低下が開始した時点までの時間である応答遅れを算出する応答遅れ算出部と、
前記応答遅れに基づいて、前記位置規制部の損傷を検知するように構成された損傷検知部と、
を備えることを特徴とする油圧機械の診断システム。
【請求項２】
前記損傷検知部は、前記応答遅れが閾値以上であるときに、前記位置規制部に損傷が生じたと判定するように構成されたことを特徴とする請求項１に記載の油圧機械の診断システム。
【請求項３】
前記損傷検知部は、前記応答遅れの経時変化に基づいて、前記位置規制部の損傷度を評価するように構成されたことを特徴とする請求項１又は２に記載の油圧機械の診断システム。
【請求項４】
前記電磁弁の初期状態における前記応答遅れの統計値に基づいて、閾値を決定するように構成された閾値設定部をさらに備え、
前記損傷検知部は、前記応答遅れ算出部により算出された前記応答遅れと、前記閾値設定部で設定された前記閾値との比較結果に基づいて、前記位置規制部の損傷を検知するように構成されたことを特徴とする請求項１乃至３の何れか一項に記載の油圧機械の診断システム。
【請求項５】
前記弁体及び前記コアは、それぞれ磁性材料で構成され、
前記電磁弁は、前記弁体と前記コアとが最も近付いたときに、前記弁体と前記コアとの間には隙間が形成されるように構成された
ことを特徴とする請求項１乃至４の何れか一項に記載の油圧機械の診断システム。
【請求項６】
前記位置規制部は、前記弁体と前記コアとの間に設けられた非磁性体層を含むことを特徴とする請求項１乃至５の何れか一項に記載の油圧機械の診断システム。
【請求項７】
前記非磁性体層は、非磁性材料で構成された板材を含むことを特徴とする請求項６に記載の油圧機械の診断システム。
【請求項８】
前記非磁性体層は、前記弁体又は前記コアの少なくとも一方の表面に設けられた非磁性材料で構成された溶射層を含むことを特徴とする請求項６に記載の油圧機械の診断システム。
【請求項９】
回転シャフトと、
シリンダと、
前記シリンダと共に作動室を形成するピストンと、
前記作動室に対して設けられる高圧弁及び低圧弁と、
請求項１乃至８の何れか一項に記載の油圧機械の診断システムと、を備えることを特徴とする油圧機械。
【請求項１０】
前記診断システムにより前記位置規制部の損傷が検知されたときに、該位置規制部を含む前記電磁弁に対応する前記シリンダを、押しのけ容積を生成しない休止状態とするように構成された
ことを特徴とする請求項９に記載の油圧機械。
【請求項１１】
再生可能エネルギーを受け取って回転するように構成されたロータと、
前記ロータによって駆動されて作動油を昇圧するように構成された油圧ポンプと、
前記油圧ポンプにより昇圧された作動油によって駆動されるように構成された油圧モータと、
前記油圧ポンプの吐出口と前記油圧モータの吸込口とを接続する高圧ラインと、
前記油圧モータの吐出口と前記油圧ポンプの吸込口とを接続する低圧ラインと、
前記油圧モータによって駆動されるように構成された発電機と、を備え、
前記油圧ポンプ又は前記油圧モータの少なくとも一方は、請求項９又は１０に記載の油圧機械である
ことを特徴とする再生可能エネルギー型発電装置。
【請求項１２】
回転シャフトと、シリンダと、前記シリンダと共に作動室を形成するピストンと、前記作動室に対して設けられる高圧弁及び低圧弁と、を有し、前記回転シャフトの回転運動と前記ピストンの往復運動との間で変換を行うように構成された油圧機械の診断方法であって、
前記高圧弁又は前記低圧弁の少なくとも一方は、
コイルに電流を供給して生じる磁力によってコアに向かって吸引されるように構成された弁体と、
前記弁体が吸引されたときに前記コアに最も近付く位置を規制するための位置規制部と、
を有する電磁弁であり、
前記作動室の圧力を検出する圧力検出ステップと、
前記圧力検出ステップで得られる筒内圧の経時変化に基づいて、前記コイルへの電流の供給を停止した時点から前記筒内圧の低下が開始した時点までの時間である応答遅れを算出するステップと、
前記応答遅れに基づいて、前記位置規制部の損傷を検知するステップと、
を備えることを特徴とする油圧機械の診断方法。
【請求項１３】
前記損傷を検知するステップでは、前記応答遅れが閾値以上であるときに、前記位置規制部に損傷が生じたと判定することを特徴とする請求項１２に記載の油圧機械の診断方法。
【請求項１４】
前記損傷を検知するステップでは、前記応答遅れの経時変化に基づいて、前記位置規制部の損傷度を評価することを特徴とする請求項１２又は１３に記載の油圧機械の診断方法。
【請求項１５】
前記電磁弁の初期状態における前記応答遅れの統計値に基づいて、閾値を決定するステップをさらに備え、
前記損傷を検知するステップでは、前記応答遅れを算出するステップで算出された前記応答遅れと、前記閾値を決定するステップで設定された前記閾値との比較結果に基づいて、前記位置規制部の損傷を検知することを特徴とする請求項１２乃至１４の何れか一項に記載の油圧機械の診断方法。